(57)【要約】【課題】更なる小風量化かつ高静圧化することができることを目的とする。【解決手段】本体フレーム５と、本体フレーム５を覆う化粧パネル６と、筒状部１３の内部にモーター支持部１５を介して連結するモーター７と、モーター７に軸支されプロペラ式の羽根車８とを設けたものであって、モーター７と羽根車８との間にモーター７の外径より大径な大径ディフューザー９と、羽根車８の化粧パネル６側にフランジ部１４に着脱可能な羽根車８の外径よりも小径なオリフィス１０を設けたという構成にしたことにより、室内１の空気はオリフィス１０に沿って羽根車８の中央部から流入して通過し、大径ディフューザー９に沿って大径ディフューザー９と筒状部１３との間から外周方向へ流出し、風洞パイプ４を介して室外２に流出することとなり、更なる小風量化かつ高静圧化することができる換気装置を得られる。【選択図】図１
2017180850.tif 000002
【特許請求の範囲】
【請求項１】
室外と室内とを連通するように壁部に埋設された風洞パイプに装着される筒状部とこの筒状部の外周に半径方向に張り出した略方形状のフランジ部とを設けた本体フレームと、前記本体フレームを覆う化粧パネルと、前記筒状部の内部にモーター支持部を介して連結するモーターと、このモーターに軸支されプロペラ式の羽根車とを設けたものであって、前記モーターと前記羽根車との間に前記モーターの外径より大径な大径ディフューザーと、前記羽根車の前記化粧パネル側に前記フランジ部に着脱可能な前記羽根車の外径よりも小径なオリフィスを設けたことを特徴とする換気装置。
【請求項２】
前記オリフィスの前記化粧パネル側にシャッターを設けたことを特徴とする請求項１に記載の換気装置。
【請求項３】
前記大径ディフューザーを着脱可能とし前記大径ディフューザーより前記モーター側に前記大径ディフューザーの外径より小さく前記モーターの外径とほぼ同等の外径の小径ディフューザーを設けたことを特徴とする請求項１に記載の換気装置。
【発明の詳細な説明】
【技術分野】
【０００１】
本発明は、室内に設けた換気口に配設される換気装置に関するものである。
【背景技術】
【０００２】
従来、この種の換気装置は、プロペラファンと着脱可能なディフューザーを有したものが知られている（例えば、特許文献１参照）。
【０００３】
以下、その換気装置について図４を参照しながら説明する。
【０００４】
図４に示すように、本体フレーム１０３は、室外と室内とを連通するように壁部に埋設された風洞パイプに装着される筒状部１０１と、この筒状部１０１の外周に半径方向に張り出した略方形状のフランジ部１０２とを設けた構成としている。筒状部１０１内には、モーター支持部１０４を介して連結するモーター１０５と、このモーター１０５に軸支されプロペラ式の羽根車１０６とが設けられている。モーター１０５と羽根車１０６との間には、ディフューザー部１０７を設けている。ディフューザ部１０７は、モーター１０５にほぼ密着するように設けている。ディフューザー部１０７は、複数の切り欠き部１０８を設け、切り欠き部１０８に嵌合する爪部１０９を設けたディフューザー部１０７より大径な着脱式ディフューザー１１０をディフューザー部１０７に覆うように取り付けている。
【先行技術文献】
【特許文献】
【０００５】
【特許文献１】特開２０１５−１８３９０４号公報
【発明の概要】
【発明が解決しようとする課題】
【０００６】
このような従来の換気装置においては、プロペラファンの風量特性をディフューザーの形状の大径化によって、小風量化かつ高静圧化できるが、更なる小風量化かつ高静圧化には対応ができない、という課題を有していた。
【０００７】
そこで本発明は、上記従来の課題を解決するものであり、更なる小風量化かつ高静圧化することができる換気装置を提供することを目的とする。
【課題を解決するための手段】
【０００８】
そして、この目的を達成するために、本発明は、室外と室内とを連通するように壁部に埋設された風洞パイプに装着される筒状部とこの筒状部の外周に半径方向に張り出した略方形状のフランジ部とを設けた本体フレームと、前記本体フレームを覆う化粧パネルと、前記筒状部の内部にモーター支持部を介して連結するモーターと、このモーターに軸支されプロペラ式の羽根車とを設けたものであって、前記モーターと前記羽根車との間に前記モーターの外径より大径な大径ディフューザーと、前記羽根車の前記化粧パネル側に前記フランジ部に着脱可能な前記羽根車の外径よりも小径なオリフィスを設けたこととしたものであり、これにより所期の目的を達成するものである。
【発明の効果】
【０００９】
本発明によれば、室外と室内とを連通するように壁部に埋設された風洞パイプに装着される筒状部とこの筒状部の外周に半径方向に張り出した略方形状のフランジ部とを設けた本体フレームと、前記本体フレームを覆う化粧パネルと、前記筒状部の内部にモーター支持部を介して連結するモーターと、このモーターに軸支されプロペラ式の羽根車とを設けたものであって、前記モーターと前記羽根車との間に前記モーターの外径より大径な大径ディフューザーと、前記羽根車の前記化粧パネル側に前記フランジ部に着脱可能な前記羽根車の外径よりも小径なオリフィスを設けた、という構成にしたことにより、室内の空気は着脱可能なオリフィスに沿って羽根車へ流入して通過し、大径ディフューザーに沿って大径ディフューザーと筒状部との間から外周方向へ流出し、風洞パイプを通じて室外に流出することとなるので、更なる小風量化かつ高静圧化することができる、という効果を得ることができる。
【図面の簡単な説明】
【００１０】
【図１】本発明の実施の形態１の換気装置を示す側断面図
【図２】本発明の実施の形態２の換気装置を示す側断面図
【図３】同換気装置の風量と静圧との特性を示す図
【図４】従来の換気装置を示す側断面図
【発明を実施するための形態】
【００１１】
本発明の請求項１記載の換気装置は、室内と室外とを連通するように壁部に埋設された風洞パイプに装着される筒状部とこの筒状部の外周に半径方向に張り出した略方形状のフランジ部とを設けた本体フレームと、前記本体フレームを覆う化粧パネルと、前記筒状部の内部にモーター支持部を介して連結するモーターと、このモーターに軸支されプロペラ式の羽根車とを設けたものであって、前記モーターと前記羽根車との間に前記モーターの外径より大径な大径ディフューザーと、前記羽根車の前記化粧パネル側に前記フランジ部に着脱可能な前記羽根車の外径よりも小径なオリフィスを設けた、という構成を有する。これにより、室内の空気は着脱可能なオリフィスに沿って羽根車へ流入して通過し、大径ディフューザーに沿って大径ディフューザーと筒状部との間から外周方向へ流出し、風洞パイプを通じて室外に流出することとなるので、更なる小風量化かつ高静圧化することができる、という効果を奏する。
【００１２】
また、前記オリフィスの前記化粧パネル側にシャッターを設けた、という構成にしてもよい。これにより、室内の空気はシャッターから流入することとなるので、換気機能を損なうことなく換気機能を停止させたときに外風が室内に侵入することを防止することができる、という効果を奏する。
【００１３】
また、前記大径ディフューザーを着脱可能とし前記大径ディフューザーより前記モーター側に前記大径ディフューザーの外径より小さく前記モーターの外径とほぼ同等の外径の小径ディフューザーを設けた、という構成にしてもよい。これにより、オリフィスをフランジ部から外すと、羽根車の前方、すなわち化粧パネル側の吸込み開口を拡大することができ、大径ディフューザーを本体フレームから取り外すと、羽根車の後方の吐出開口を拡大することができ、吸込み開口または吐出し開口の一方、または両方を拡大し風路抵抗を低減することとなるので、大風量かつ低静圧や中風量かつ中静圧などの異なる特性の換気装置を部品の付け外しのみで安価で提供できる、という効果を奏する。
【００１４】
また、前記化粧パネルに着脱可能なオリフィスを設けた、という構成にしてもよい。これにより、化粧パネルと同時にオリフィスを着脱させることとなるので、羽根車のお手入れ性を向上することができる、という効果を奏する。
【００１５】
以下、本発明の実施の形態について図面を参照しながら説明する。
【００１６】
（実施の形態１）
図１に示すように、本体フレーム５は、室内１と室外２とを連通するように壁部３または天井部（図では壁部３）に埋設された風洞パイプ４に装着される筒状部１３と、この筒状部１３の前方（室内１側）の外周に半径方向に張り出した略方形状のフランジ部１４と、筒状部１３の内部にモーター支持部１５とを設けている。本体フレーム５の前方には、化粧パネル６で覆われている。筒状部１３の内部には、モーター支持部１５を介して連結するモーター７のシャフト１６に軸支されているプロペラ式の羽根車８が設けられている。モーター７と羽根車８との間には、モーター７の外径より大径な、たとえば、直径がモーター７の外形に対して４０％程度大きい大径ディフューザー９を設けている。羽根車８の前方、すなわち化粧パネル６側には、フランジ部１４に開口の直径が羽根車８の外径よりも小径な、たとえば、羽根車８の直径に対して開口の直径が７０％程度のオリフィス１０を着脱可能に設ける。つまり、化粧パネル６と羽根車８との間にオリフィス１０が設けられることになる。
【００１７】
これにより、室内１の空気は、着脱可能なオリフィス１０に沿って羽根車８の中央部へ流入する。そして、通過した前記空気は、大径ディフューザー９に沿って大径ディフューザー９と筒状部１３との間から外周方向へ流出し、風洞パイプ４を介して室外２に流出する。よって、前記空気が小風量かつ高静圧の風量特性を有する換気扇を得ることができる。
【００１８】
なお、小風量かつ高静圧の風量特性を有するターボファンと比較して、低騒音、低消費電力を得ることができる。
【００１９】
また、オリフィス１０の前方、すなわち化粧パネル６側には、シャッター１１を設ける構成にしてもよい。
【００２０】
これにより、外風の強い環境であっても、換気機能を停止、すなわち羽根車８の回転を停止させてシャッター１１を閉じたとき、室外２からの外風が室内１に侵入することを防止する。換気運転、すなわち羽根車８を回転させてシャッター１１を開放した時には、小風量かつ高静圧の風量特性により、外風による換気風量の低下や、逆流を最小限に抑えることができる換気扇が得られる。
【００２１】
また、同様の風量−静圧特性を有するターボ式の羽根車を有する換気扇（図示せず）に対して、プロペラ式の羽根車８を用いることにより騒音値を約６ｄＢ以上低減することができる。
【００２２】
なお、シャッター１１は、オリフィス１０と共に着脱可能な構造とし、フランジ部１４に取り付ける構造としても良い。これにより、シャッター１１は、使用者が外すことができ、手元で清掃することができ、さらに、羽根車８をも外して手元で清掃することができる。
【００２３】
また、シャッター１１は、オリフィス１０と共に着脱可能な構造とし、化粧パネル６に取り付ける構造としても良い。これにより、化粧パネル６と一緒にシャッター１１およびオリフィス１０を使用者が外すことができ、手元で清掃することができる。
【００２４】
（実施の形態２）
図２について、実施の形態１と同じ構成については同じ符号を付する。
【００２５】
図２に示すように、本体フレーム５は、室内１と室外２とを連通するように壁部３または天井部（図では壁部３）に埋設された風洞パイプ４に装着される筒状部１３と、この筒状部１３の前方（室内１側）の外周に半径方向に張り出した略方形状のフランジ部１４と、筒状部１３の内部にモーター支持部１５とを設けている。本体フレーム５の前方は、化粧パネル６で覆われている。筒状部１３の内部には、モーター支持部１５を介して連結するモーター７のシャフト１６に軸支されているプロペラ式の羽根車８が設けられている。モーター７と羽根車８との間には、モーター７の外径とほぼ同等の外径の小径ディフューザー１２を設け、この小径ディフューザー１２に密着するように、モーター７の外径より大径な、たとえば直径がモーター７の外形に対して４０％程度大きい大径ディフューザー９を着脱可能に設け、羽根車８の前方、すなわち化粧パネル６側には、フランジ部１４に開口の直径が羽根車８の外径よりも小径な、たとえば、羽根車８の直径に対して開口の直径が７０％程度のオリフィス１０を着脱可能に設ける。つまり、化粧パネル６と羽根車８との間にオリフィス１０が設けられることになる。
【００２６】
これにより、室内１の空気は着脱可能なオリフィス１０に沿って羽根車８の中央部へ流入するそして、通過した前記空気は、大径ディフューザー９に沿って大径ディフューザー９と筒状部１３との間から外周方向へ流出し、風洞パイプ４を介して室外２に流出する。よって、前記空気が小風量かつ高静圧、低騒音、低消費電力の風量特性を有する換気扇を得ることができる。
【００２７】
また、オリフィス１０をフランジ部１４から外すと、羽根車８の前方、すなわち化粧パネル６側の吸込み開口を拡大することができるため、通気抵抗が減少させ、図３に示すように、風量を約５％向上させ、静圧を約２７％減少させた風量−静圧特性を有する換気扇を簡単に提供することができる。
【００２８】
また、さらに大径ディフューザー９を本体フレーム５から取り外すと、羽根車８の後方の吐出開口を拡大することができ、通気抵抗をさらに減少することにより、風量を約５５％向上させ、静圧を約５０％減少させた風量−静圧特性を有する換気扇を、簡単に提供することができる。
【００２９】
また、オリフィス１０は化粧パネル６に取り付ける構造としても良い。これにより、化粧パネル６と一緒にオリフィス１０を使用者が外すことができ、手元で清掃することができ、さらに、羽根車８をも外して手元で清掃することができる。
【産業上の利用可能性】
【００３０】
本発明にかかる換気装置は、更なる小風量化かつ高静圧化することを可能とするものであるので、高気密住宅などに使用される換気装置等に有用である。
【符号の説明】
【００３１】
１    室内
２    室外
３    壁部
４    風洞パイプ
５    本体フレーム
６    化粧パネル
７    モーター
８    羽根車
９    大径ディフューザー
１０    オリフィス
１１    シャッター
１２    小径ディフューザー
１３    筒状部
１４    フランジ部
１５    モーター支持部
１６    シャフト
【図１】
2017180850.tif 000003
【図２】
2017180850.tif 000004
【図３】
2017180850.tif 000005
【図４】
2017180850.tif 000006